(57)【要約】【課題】複数の表示板（表示部）を供えた表示装置をコンパクトに設けることができるようにする。【解決手段】車載用オーディオビジュアル装置１０は、一方のモニタ１２Ｒ及び他方のモニタ１２Ｌと、一方のモニタ１２Ｒ及び他方のモニタ１２Ｌを支持するベース部材１３と、一方のモニタ１２Ｒ及び他方のモニタ１２Ｌを移動させるモーター２０と、モーター２０の駆動力を、一方のモニタ１２Ｒ及び他方のモニタ１２Ｌをベース部材１３上でスライド移動させる力に変換してスライド移動させる変換機構３５とを備え、一方のモニタ１２Ｒ及び他方のモニタ１２Ｌは、互いに重なって閉じた状態から変換機構３５を介してスライド移動して側方に開かれ、配列される。【選択図】図４
2015093570.tif 000002
【特許請求の範囲】
【請求項１】
複数の表示板と、当該表示板を支持するベース部材と、複数の前記表示板を移動させるモーターと、当該モーターの駆動力を、複数の前記表示板を前記ベース部材上でスライド移動させる力に変換してスライド移動させる変換機構とを備え、
複数の前記表示板は、互いに重なって閉じた状態から前記変換機構を介してスライド移動して側方に開かれ、配列されることを特徴とする表示装置。
【請求項２】
重なって閉じた状態の複数の前記表示板を前記ベース部材とともに収容する箱状の筐体を備え、
複数の前記表示板は、情報を表示する際には、前記筐体から前記ベース部材と一体に引き出されるとともに起立されることを特徴とする請求項１記載の表示装置。
【請求項３】
複数の前記表示板は、前記変換機構のスライド位置の終端に位置して開かれた状態では、互いの表示面が略面一になることを特徴とする請求項１または２に記載の表示装置。
【請求項４】
前記表示板は一対で設けられ、
前記変換機構は、一対の前記表示板のうちの一方の表示板に連結される一方の搬送部材と、一対の前記表示板のうちの他方の表示板に連結される他方の搬送部材と、一対の前記表示板の裏面側に配置され、前記一方の搬送部材及び前記他方の搬送部材に連結されるカムギヤとを備え、当該カムギヤは前記モーターに駆動されて回転され、
前記カムギヤは、円板状に形成されるとともに、板面上に一対の突部を備え、
前記一方の搬送部材は、前記突部の一方が嵌まる一方のカム溝を備え、前記他方の搬送部材は、前記突部の他方が嵌まる他方のカム溝を備え、
一対の前記表示板は、前記カムギヤの回転によって周方向に移動する一対の前記突部によって、前記一方のカム溝及び前記他方のカム溝を介してスライド移動させられることを特徴とする請求項１から３のいずれかに記載の表示装置。
【請求項５】
前記ベース部材は、前記表示板のスライド方向に延びるガイド溝を備え、当該ガイド溝は、前記スライド方向と略直交する前後ガイド溝部を終端に備え、
前記一方の表示板は、上下方向に突出して前記ガイド溝に嵌まるガイド部を備え、
前記一方の搬送部材は、前記ガイド部が嵌まる傾斜溝を備え、当該傾斜溝は、前記一方の表示板のスライド方向に交差する方向に斜めに延びており、
前記一方の表示板は、前記傾斜溝を介して前記ガイド部が前記一方の搬送部材に押されるようにして前記ガイド溝に沿ってスライド移動させられ、
前記一方の表示板は、前記ガイド部が、前記傾斜溝に押されて前記前後ガイド溝部に沿って動くことで前後にスライドすることを特徴とする請求項４記載の表示装置。
【請求項６】
前記他方の搬送部材の前記他方のカム溝は、前記突部の他方の回動の軌跡に沿った円弧状カム溝部を備え、前記一方の表示板が前後にスライドする際は、前記突部の他方は、円弧状カム溝部内を移動することを特徴とする請求項５記載の表示装置。
【請求項７】
前記一方の表示板は前記カムギヤの前面側に前記一方の搬送部材を介して支持され、前記他方の搬送部材は、前記カムギヤの後面側に配置され、
前記他方の表示板は、前記一方の表示板の前面側に配置され、前記他方の搬送部材から前記カムギヤ及び前記一方の表示板の下方を回りこんで延出された延出部に連結されていることを特徴とする請求項４から６のいずれかに記載の表示装置。
【請求項８】
前記ベース部材は、一対の前記表示板を下方から支持する下面支持部を備え、
前記他方の表示板は、前記下面支持部に当接して下方から支持され、
前記一方の搬送部材は、前記一方の表示板の下面を支持する下面支持板部を備え、
前記下面支持部は、少なくとも前記下面支持板部の板厚分だけ窪む段部を備えたことを特徴とする請求項７記載の表示装置。
【請求項９】
筐体内にスライドにより収納されると共に、前記筐体外の視認位置では起立されるベース部材を備え、このベース部材に複数の表示部を備え、少なくとも前記視認位置では前記複数の表示部が側方に展開することを特徴とする表示装置。
【請求項１０】
前記複数の表示部が側方に展開し、かつ、同一面内に配列されることを特徴とする請求項９に記載の表示装置。
【発明の詳細な説明】
【技術分野】
【０００１】
本発明は、表示装置に関する。
【背景技術】
【０００２】
従来、一枚の表示板に情報を表示する表示装置が知られている（例えば、特許文献１参照）。
【先行技術文献】
【特許文献】
【０００３】
【特許文献１】特開２００７−２３７９０６号公報
【発明の概要】
【発明が解決しようとする課題】
【０００４】
ところで、上記従来の表示装置では、表示する情報量を増やしたい場合、表示板を追加して複数の表示板を用いることが考えられる。しかし、表示板を増やした場合、表示板が増えた分だけ設置スペースが大きくなってしまい、表示装置を使用しない場合に表示板が邪魔になるという課題がある。
本発明は、上述した事情に鑑みてなされたものであり、複数の表示板（表示部）を供えた表示装置をコンパクトに設けることができるようにすることを目的とする。
【課題を解決するための手段】
【０００５】
上記目的を達成するため、本発明は、複数の表示板と、当該表示板を支持するベース部材と、複数の前記表示板を移動させるモーターと、当該モーターの駆動力を、複数の前記表示板を前記ベース部材上でスライド移動させる力に変換してスライド移動させる変換機構とを備え、複数の前記表示板は、互いに重なって閉じた状態から前記変換機構を介してスライド移動して側方に開かれ、配列されることを特徴とする表示装置を提供する。
【０００６】
また、上記構成において、重なって閉じた状態の複数の前記表示板を前記ベース部材とともに収容する箱状の筐体を備え、複数の前記表示板は、情報を表示する際には、前記筐体から前記ベース部材と一体に引き出されるとともに起立される構成としても良い。
また、複数の前記表示板は、前記変換機構のスライド位置の終端に位置して開かれた状態では、互いの表示面が略面一になる構成としても良い。
【０００７】
また、前記表示板は一対で設けられ、前記変換機構は、一対の前記表示板のうちの一方の表示板に連結される一方の搬送部材と、一対の前記表示板のうちの他方の表示板に連結される他方の搬送部材と、一対の前記表示板の裏面側に配置され、前記一方の搬送部材及び前記他方の搬送部材に連結されるカムギヤとを備え、当該カムギヤは前記モーターに駆動されて回転され、前記カムギヤは、円板状に形成されるとともに、板面上に一対の突部を備え、前記一方の搬送部材は、前記突部の一方が嵌まる一方のカム溝を備え、前記他方の搬送部材は、前記突部の他方が嵌まる他方のカム溝を備え、一対の前記表示板は、前記カムギヤの回転によって周方向に移動する一対の前記突部によって、前記一方のカム溝及び前記他方のカム溝を介してスライド移動させられる構成としても良い。
【０００８】
さらに、前記ベース部材は、前記表示板のスライド方向に延びるガイド溝を備え、当該ガイド溝は、前記スライド方向と略直交する前後ガイド溝部を終端に備え、前記一方の表示板は、上下方向に突出して前記ガイド溝に嵌まるガイド部を備え、前記一方の搬送部材は、前記ガイド部が嵌まる傾斜溝を備え、当該傾斜溝は、前記一方の表示板のスライド方向に交差する方向に斜めに延びており、前記一方の表示板は、前記傾斜溝を介して前記ガイド部が前記一方の搬送部材に押されるようにして前記ガイド溝に沿ってスライド移動させられ、前記一方の表示板は、前記ガイド部が、前記傾斜溝に押されて前記前後ガイド溝部に沿って動くことで前後にスライドする構成としても良い。
【０００９】
また、前記他方の搬送部材の前記他方のカム溝は、前記突部の他方の回動の軌跡に沿った円弧状カム溝部を備え、前記一方の表示板が前後にスライドする際は、前記突部の他方は、円弧状カム溝部内を移動する構成としても良い。
また、前記一方の表示板は前記カムギヤの前面側に前記一方の搬送部材を介して支持され、前記他方の搬送部材は、前記カムギヤの後面側に配置され、前記他方の表示板は、前記一方の表示板の前面側に配置され、前記他方の搬送部材から前記カムギヤ及び前記一方の表示板の下方を回りこんで延出された延出部に連結されている構成としても良い。
【００１０】
さらに、前記ベース部材は、一対の前記表示板を下方から支持する下面支持部を備え、前記他方の表示板は、前記下面支持部に当接して下方から支持され、前記一方の搬送部材は、前記一方の表示板の下面を支持する下面支持板部を備え、前記下面支持部は、少なくとも前記下面支持板部の板厚分だけ窪む段部を備えた構成としても良い。
また、本発明は、筐体内にスライドにより収納されると共に、前記筐体外の視認位置では起立されるベース部材を備え、このベース部材に複数の表示部を備え、少なくとも前記視認位置では前記複数の表示部が側方に展開することを特徴とする表示装置を提供する。
また、上記構成において、前記複数の表示部が側方に展開し、かつ、同一面内に配列される構成としても良い。
【発明の効果】
【００１１】
本発明によれば、複数の表示板（表示部）を供えた表示装置をコンパクトに設けることができる。
【図面の簡単な説明】
【００１２】
【図１】本発明の実施の形態に係る車載用オーディオビジュアル装置を示す斜視図である。
【図２】一方のモニタ及び他方のモニタが筐体に収納された状態の車載用オーディオビジュアル装置の斜視図である。
【図３】車載用オーディオビジュアル装置の収納の動作を示す斜視図である。
【図４】一方のモニタ及び他方のモニタが開いた状態の車載用オーディオビジュアル装置を示す正面図である。
【図５】車載用オーディオビジュアル装置の分解斜視図である。
【図６】ベース部材の斜視図である。
【図７】図４のＶＩＩ−ＶＩＩ断面図である。
【図８】変換機構をベース部材の後壁部側から見た図であり、（ａ）は斜視図であり、（ｂ）は正面図である。
【図９】一方のモニタ及び他方のモニタの配線の配置を示す斜視図である。
【図１０】図８よりも閉じ方向に進んだ状態を示す図であり、（ａ）は斜視図であり、（ｂ）は正面図である。
【図１１】図１０よりも閉じ方向に進んだ状態を示す図であり、（ａ）は斜視図であり、（ｂ）は正面図である。
【図１２】図１１よりも閉じ方向に進んだ状態を示す図であり、（ａ）は斜視図であり、（ｂ）は正面図である。
【図１３】一方のモニタ及び他方のモニタが閉じた状態を示す図であり、（ａ）は斜視図であり、（ｂ）は正面図である。
【図１４】前後スライド工程における、前後ガイド溝部、一方のガイド部及び傾斜溝の位置関係を示す図である。
【発明を実施するための形態】
【００１３】
以下、本発明の実施の形態について図を参照しながら以下に説明する。
図１は、本発明の実施の形態に係る車載用オーディオビジュアル装置を示す斜視図である。
車載用オーディオビジュアル装置１０は、箱状の筐体１１と、左右一対で設けられる一方のモニタ１２Ｒ（一方の表示板、表示部）及び他方のモニタ１２Ｌ（他方の表示板、表示部）と、一方のモニタ１２Ｒ及び他方のモニタ１２Ｌを支持するベース部材１３とを備える。一方のモニタ１２Ｒ及び他方のモニタ１２Ｌは、同一のサイズのモニタである。
車載用オーディオビジュアル装置１０は、車両のダッシュボード内に筐体１１が埋め込まれるようにして設置され、非使用時には一方のモニタ１２Ｒ及び他方のモニタ１２Ｌが筐体１１内に収納され、使用時には一方のモニタ１２Ｒ及び他方のモニタ１２Ｌが筐体１１の外側にせり出す、いわゆるインダッシュ式の表示装置である。また、車載用オーディオビジュアル装置１０は、モーター等を駆動してモニタ１２Ｒ及び他方のモニタ１２Ｌの動作を制御する制御部（不図示）を筐体１１内に備える。
【００１４】
図２は、一方のモニタ１２Ｒ及び他方のモニタ１２Ｌが筐体１１に収納された状態の車載用オーディオビジュアル装置１０の斜視図である。
車載用オーディオビジュアル装置１０は、筐体１１の前面に設けられた開口を塞ぐ前面パネル１４を備える。前面パネル１４は、一方のモニタ１２Ｒ及び他方のモニタ１２Ｌの出し入れ用の横長の開口部１４ａを備える。また、前面パネル１４は、ユーザーに対向して設けられるパネルであり、前面パネル１４には、車載用オーディオビジュアル装置１０の電源ボタンや、操作ボタン等を設けることができる。本実施の形態では、ユーザーに面する前面パネル１４側を車載用オーディオビジュアル装置１０の前側とし、ユーザー側から見た左右方向を、車載用オーディオビジュアル装置１０の左右方向とする。
【００１５】
図３は、車載用オーディオビジュアル装置１０の収納の動作を示す斜視図であり、（ａ）は一方のモニタ１２Ｒ及び他方のモニタ１２Ｌが引き出された状態を示し、（ｂ）は一方のモニタ１２Ｒ及び他方のモニタ１２Ｌが起立した状態を示し、（ｃ）及び（ｄ）は一方のモニタ１２Ｒ及び他方のモニタ１２Ｌが左右に移動した状態を示す。
一方のモニタ１２Ｒ及び他方のモニタ１２Ｌは、図２に示す収納状態では、厚さ方向に互いに重なるとともに表示面１５Ｒ，１５Ｌを下方に向けた状態でベース部材１３に支持され、筐体１１内に位置している。
【００１６】
車載用オーディオビジュアル装置１０は、ベース部材１３を前後にスライドさせるスライド機構部（不図示）を備える。このスライド機構部は、モーター（不図示）の駆動力によりベース部材１３を略水平にスライドさせ、図３（ａ）に示すように、上記収納状態の姿勢の一方のモニタ１２Ｒ及び他方のモニタ１２Ｌをベース部材１３と共に開口部１４ａからユーザー側にせり出させる。
【００１７】
車載用オーディオビジュアル装置１０は、図３（ｂ）に示すように、ベース部材１３を回動させて一方のモニタ１２Ｒ及び他方のモニタ１２Ｌを起立させるチルト機構部１６を備える。チルト機構部１６は、開口部１４ａの左右の両端部から前後に移動可能な一対のアーム１６ａと、アーム１６ａに設けられて左右に延びる回動軸１６ｂと、モーター及び歯車を含み、ベース部材１３を回動させる駆動部（不図示）とを備える。回動軸１６ｂは、ベース部材１３の下部の左右の側面に連結されている。ベース部材１３は、回動軸１６ｂを中心に回動させられ、略水平の状態または起立した状態の姿勢とされる。
図３（ｂ）〜図３（ｄ）及び図１に示すように、車載用オーディオビジュアル装置１０では、互いに重なっている一方のモニタ１２Ｒ及び他方のモニタ１２Ｌを左右にスライドさせていき、一方のモニタ１２Ｒ及び他方のモニタ１２Ｌを左右側方に開いて横並びに配置することができる。
【００１８】
以下、一方のモニタ１２Ｒ及び他方のモニタ１２Ｌを左右にスライドさせて開閉する構造について詳細に説明する。
図４は、一方のモニタ１２Ｒ及び他方のモニタ１２Ｌが開いた状態の車載用オーディオビジュアル装置１０を示す正面図である。図５は、車載用オーディオビジュアル装置１０の分解斜視図である。ここで図５では、一方のモニタ１２Ｒ、他方のモニタ１２Ｌ及びベース部材１３の周辺構造が分解されて示されている。
【００１９】
図４及び図５を参照し、車載用オーディオビジュアル装置１０は、一方のモニタ１２Ｒ及び他方のモニタ１２Ｌを左右にスライドさせる力の駆動源となる一つのモーター２０と、モーター２０によって回転させられる円板状のカムギヤ２１とを備える。
また、車載用オーディオビジュアル装置１０は、円板状のカムギヤ２１に連結されるとともに一方のモニタ１２Ｒを支持する一方のキャリア２２Ｒ（一方の搬送部材）と、円板状のカムギヤ２１に連結されるとともに他方のモニタ１２Ｌに連結される他方のキャリア２２Ｌ（他方の搬送部材）とを備える。
【００２０】
図６は、ベース部材１３の斜視図である。
図４〜図６に示すように、ベース部材１３は、起立した状態において一方のモニタ１２Ｒ及び他方のモニタ１２Ｌを下方から支持する下面支持部２３と、下面支持部２３の後縁部から上方へ立設される後壁部２４と、後壁部２４の上端から略水平に前方へせり出す上壁部２５とを有する。
下面支持部２３、後壁部２４及び上壁部２５の左右の長さは、一方のモニタ１２Ｒ及び他方のモニタ１２Ｌの左右の長さに略等しい。
【００２１】
下面支持部２３は、前後方向よりも左右方向に長い略直方体の箱状に形成されており、内部には空間Ｓ（図９）を有する。下面支持部２３の上面は、一方のモニタ１２Ｒ及び他方のモニタ１２Ｌの下面に対向して略水平に延びる下壁部２６を構成している。
下壁部２６の前後の中間部には、後壁部２４に沿って左右に延びる一方のガイド溝２７ａ，２７ｂが一対形成されている。
下壁部２６の前部には、後壁部２４に沿って左右に直線状に延びる他方のガイド溝２８が形成されている。
【００２２】
一方のガイド溝２７ａ，２７ｂ及び他方のガイド溝２８は、空間Ｓまで貫通するスリット状の孔である。
一方のガイド溝２７ａ，２７ｂは、左右方向に直線状に延びる左右ガイド溝部２９，２９と、左右ガイド溝部２９，２９の右端から略直角に屈曲して前方に延びる前後ガイド溝部３０，３０とを備える。一方のガイド溝２７ａ，２７ｂは、同一形状であるが、一方のガイド溝２７ｂは、一方のガイド溝２７ａよりも後方側且つ外側方側（右側）に配置されている。また、一方のガイド溝２７ａ，２７ｂは、他方のガイド溝２８が設けられた部分よりも一段低く形成された下壁段部３４に設けられている。
【００２３】
図７は、図４のＶＩＩ−ＶＩＩ断面図である。
図７に示すように、下壁部２６に対向する上壁部２５の内面には、一方のガイド溝２７ａ，２７ｂと同一形状の一方のガイド溝３７ａ，３７ｂが形成されている。また、上壁部２５の内面には、上方に一段窪んだ上壁段部（不図示）が形成されており、一方のガイド溝３７ａ，３７ｂは上壁段部に設けられている。この上壁段部は、下壁段部３４と略同一形状である。一方のガイド溝３７ａ，３７ｂは、上壁部２５を貫通しない溝である。一方のガイド溝３７ａ，３７ｂは、左右ガイド溝部２９，２９及び前後ガイド溝部３０，３０を備える。平面視では、一方のガイド溝２７ａ，２７ｂと一方のガイド溝３７ａ，３７ｂとは同一の位置に設けられており、上方から見た場合、一方のガイド溝２７ａ，２７ｂと一方のガイド溝３７ａ，３７ｂとは重なる。
また、上壁部２５の内面には、他方のガイド溝２８と同一形状の他方のガイド溝３８が形成されている。他方のガイド溝３８は、上壁部２５を貫通しない溝である。平面視では、他方のガイド溝２８と他方のガイド溝３８とは同一の位置に設けられており、上方から見た場合、他方のガイド溝２８と他方のガイド溝３８とは重なる。
【００２４】
図６に示すように、下壁部２６の後部には、後壁部２４に沿って左右に直線状に延びる逃げ溝部３１が形成されている。逃げ溝部３１は、空間Ｓまで貫通するスリット状の孔である。
下壁部２６の後部の左右端には、チルト機構部１６の回動軸１６ｂが嵌合する軸連結部３２，３２が設けられている。
下面支持部２３の奥行き方向の長さは、一方のモニタ１２Ｒ、他方のモニタ１２Ｌ及びカムギヤ２１等を重ねた厚さよりも大きく形成されている。
【００２５】
後壁部２４の上下方向の高さは、下壁部２６と上壁部２５との間に一方のモニタ１２Ｒ及び他方のモニタ１２Ｌを立てて収納できるように、一方のモニタ１２Ｒ及び他方のモニタ１２Ｌの高さよりも大きく形成されている。
後壁部２４の上下及び左右の中間部には、カムギヤ２１を軸支するカムギヤ支持軸（不図示）が固定される軸支持部３３が設けられている。
ベース部材１３、カムギヤ２１、一方のキャリア２２Ｒ及び他方のキャリア２２Ｌは、モーター２０の駆動力を、一方のモニタ１２Ｒ及び他方のモニタ１２Ｌをベース部材１３上でスライド移動させる力に変換してスライド移動させる変換機構３５を構成する。
【００２６】
図８は、変換機構３５をベース部材１３の後壁部２４側から見た図であり、（ａ）は斜視図であり、（ｂ）は正面図である。ここで、図８は、一方のモニタ１２Ｒ及び他方のモニタ１２Ｌが左右に完全に開いた状態を示している。
図４〜図６及び図８に示すように、一方のモニタ１２Ｒ及び他方のモニタ１２Ｌは、板状の液晶モニタであり、略同一の画面サイズ及び外形を有する。一方のモニタ１２Ｒは、略矩形の板状のモニタ本体４０と、表示面１５Ｒとを有する。他方のモニタ１２Ｌは、略矩形の板状のモニタ本体４１と、表示面１５Ｌとを有する。
一方のモニタ１２Ｒ及び他方のモニタ１２Ｌは、縦短寸及び横長寸のアスペクト比が、例えば１６：９の横長のワイドタイプのモニタである。
【００２７】
一方のモニタ１２Ｒは、一方のモニタ１２Ｒの高さ方向に真っ直ぐ延びる棒状の一方のガイド部４３，４３を、モニタ本体４０の背面側に一対備える。一方のガイド部４３，４３は、モニタ本体４０の背面側に突出して設けられたガイド部支持部４４（図８）に支持されて上下に延びており、上端及び下端は、一方のモニタ１２Ｒの上縁及び下縁よりも上方及び下方にそれぞれ突出している。一方のガイド部４３，４３は、一方のモニタ１２Ｒ及び他方のモニタ１２Ｌが左右に開いた状態における一方のモニタ１２Ｒの左右方向の内縁４０ａ側に寄せて配置されている。
【００２８】
一方のモニタ１２Ｒは、一方のガイド部４３，４３の上端及び下端を、ベース部材１３の一方のガイド溝３７ａ，３７ｂ及び一方のガイド溝２７ａ，２７ｂにそれぞれ嵌合させた状態で、上壁部２５と下壁部２６との間に配置される。
一方のモニタ１２Ｒは、一方のガイド部４３，４３が一方のガイド溝３７ａ，３７ｂ，２７ａ，２７ｂにガイドされることで、一方のガイド溝３７ａ，３７ｂ，２７ａ，２７ｂに沿ってスライド移動する。
【００２９】
他方のモニタ１２Ｌは、他方のモニタ１２Ｌの高さ方向に真っ直ぐ延びる棒状の他方のガイド部４５，４５を、モニタ本体４１に一対備える。他方のガイド部４５，４５は、モニタ本体４１の上縁及び下縁から上方及び下方に突出して設けられている。他方のガイド部４５，４５は、一方のモニタ１２Ｒ及び他方のモニタ１２Ｌが左右に開いた状態における他方のモニタ１２Ｌの左右方向の内縁４１ａ側に寄せて配置されている。また、一対の他方のガイド部４５，４５のうち、内縁４１ａに近い側のガイド部４５は、遠い側のガイド部４５の下端よりも下方に延出する下方延出部４５ａを備える。
【００３０】
他方のモニタ１２Ｌは、他方のガイド部４５，４５の上端及び下端を、ベース部材１３の他方のガイド溝３８及び他方のガイド溝２８にそれぞれ嵌合させた状態で、上壁部２５と下壁部２６との間に配置される。
他方のモニタ１２Ｌは、他方のガイド部４５，４５が他方のガイド溝３８，２８にガイドされることで、他方のガイド溝３８，２８に沿ってスライド移動する。
【００３１】
カムギヤ２１は、一枚の円板状の歯車であり、一方のモニタ１２Ｒの高さ方向の長さよりも大きな直径を有する。
カムギヤ２１は、円板状の歯車本体部２１ａと、歯車本体部２１ａの中心に形成されて上記カムギヤ支持軸によって軸支される支持孔２１ｂとを備え、カムギヤ支持軸を中心に回転する。また、カムギヤ２１は、歯車本体部２１ａの外周の全体に設けられるギヤ部２１ｃと、ギヤ部２１ｃと支持孔２１ｂとの間の板部に形成される複数の肉抜き孔２１ｄとを有する。カムギヤ２１は、後壁部２４に対し略平行に設けられており、一方のモニタ１２Ｒ及び他方のモニタ１２Ｌの背面に対向するギヤ表面２１ｅと、ベース部材１３の後壁部２４に対向するギヤ裏面２１ｆとを有する。
カムギヤ２１の回転時の下部は、ベース部材１３の逃げ溝部３１を通って空間Ｓ内に位置する。
【００３２】
図８に示すように、カムギヤ２１は、ギヤ表面２１ｅに立設されて一方のモニタ１２Ｒの背面側へ突出する一方の突部４６Ｒ（突部の一方）と、ギヤ裏面２１ｆに立設されてベース部材１３の後壁部２４側へ突出する他方の突部４６Ｌ（突部の他方）とを備える。
一方の突部４６Ｒ及び他方の突部４６Ｌは、径方向においてカムギヤ２１の外周側に寄せて設けられており、ギヤ部２１ｃの近傍に位置する。また、一方の突部４６Ｒと他方の突部４６Ｌとは、カムギヤ２１の周方向では、略１８０°異なる位置に配置されている。詳細には、後述する一方のモニタ１２Ｒ及び他方のモニタ１２Ｌを閉じる際のカムギヤ２１の回転方向（閉方向ＣＬ）で見ると、一方の突部４６Ｒと他方の突部４６Ｌとは、周方向に１８０°よりもわずかに大きい角度だけ異なる位置に配置されている。一方の突部４６Ｒ及び他方の突部４６Ｌは、例えば、歯車本体部２１ａに立設されるピンにより構成される。
【００３３】
モーター２０は、寝かせて配置される柱状の本体部２０ａと、本体部２０ａの端から軸方向に突出するモーター軸に設けられるウォームギヤ２０ｂとを有する。
モーター２０は、下面支持部２３の空間Ｓ内に配置されている。詳細には、モーター２０は、左右に長い空間Ｓ内において他方のモニタ１２Ｌ側の一端部に位置し、ウォームギヤ２０ｂが空間Ｓ内の他端部側を指向する向きで配置されている。
ウォームギヤ２０ｂとカムギヤ２１との間には、ウォームギヤ２０ｂの駆動力をカムギヤ２１に伝達する中間ギヤ４７が配置されている。
中間ギヤ４７は、ウォームギヤ２０ｂに噛み合う小径ギヤ部４７ａ（図５）と、カムギヤ２１のギヤ部２１ｃに噛み合う大径ギヤ部４７ｂとを一体に備える歯車である。中間ギヤ４７は、後壁部２４に軸支される。
【００３４】
図５及び図８に示すように、一方のキャリア２２Ｒは、一方のモニタ１２Ｒの背面に沿って上下に延びる縦板部５０と、縦板部５０の上縁から一方のモニタ１２Ｒ側に前方へ延びる上板部５１と、縦板部５０の下縁から一方のモニタ１２Ｒ側に前方へ延びる下板部５２とを備える。一方のキャリア２２Ｒの左右方向の幅は、カムギヤ２１の半径よりも小さい。
上板部５１及び下板部５２は、互いに対向して配置されるとともに、一方のモニタ１２Ｒの上面及び下面に対し略平行に設けられている。
上板部５１及び下板部５２には、一方のモニタ１２Ｒの左右のスライド方向、すなわち一方のガイド溝２７ａ，２７ｂの左右ガイド溝部２９，２９の延在方向、に対して斜めに交差する傾斜溝５３，５４が、それぞれ形成されている。詳細には、傾斜溝５３，５４は、一方のモニタ１２Ｒを開いていく際の一方のモニタ１２Ｒの左右のスライド方向に行くほど、一方のモニタ１２Ｒに対して前後方向に遠くなるように傾斜している。また、傾斜溝５３，５４は、左右方向に延びる左右溝部５３ａ，５４ａを前端に有する。
【００３５】
傾斜溝５３は、左右方向に並べて上板部５１に一対設けられている。傾斜溝５４は、左右方向に並べて下板部５２に一対設けられている。傾斜溝５３，５４は、上板部５１及び下板部５２を貫通する同一形状のスリット状の孔である。
平面視では、傾斜溝５３と傾斜溝５４とは、同一の位置に設けられており、上方から見た場合、傾斜溝５３と傾斜溝５４とは重なる。
一方のキャリア２２Ｒは、下板部５２がベース部材１３の下壁段部３４に嵌まるとともに、上板部５１が上記上壁段部に嵌まることで、前後方向へのスライドを規制された状態で左右方向にスライドする。
【００３６】
一方のキャリア２２Ｒの縦板部５０は、カムギヤ２１の一方の突部４６Ｒが嵌まる一方のカム溝５５を有する。一方のカム溝５５は、鉛直方向に直線状に延びるスリット状の孔であり、縦板部５０の上部から上下の中間部に亘って設けられている。また、一方のカム溝５５は、一方のモニタ１２Ｒが図８に示すように左右方向に開かれた状態において、縦板部５０の左右方向の外端部に設けられている。
【００３７】
一方のキャリア２２Ｒは、各傾斜溝５３，５４を一方のガイド部４３，４３の上端及び下端に嵌合させて、一方のモニタ１２Ｒの背面側に取り付けられる。
一方のキャリア２２Ｒと一方のモニタ１２Ｒとは、傾斜溝５３，５４内を一方のガイド部４３，４３が動くことで、相対移動可能である。一方のモニタ１２Ｒが、縦板部５０に近づく方向に移動した状態では、一方のモニタ１２Ｒは、上板部５１と下板部５２との間に挟まれる。
【００３８】
一方のガイド部４３，４３の上端及び下端は、傾斜溝５３，５４を貫通して上方及び下方にさらに延びており、これら上端及び下端は、ベース部材１３の一方のガイド溝３７ａ，３７ｂ及び一方のガイド溝２７ａ，２７ｂにそれぞれ嵌合する。すなわち、一方のモニタ１２Ｒは、ベース部材１３との間に一方のキャリア２２Ｒを介装した状態で、一方のガイド溝２７ａ，２７ｂ，３７ａ，３７ｂに沿って左右にスライド可能に設けられる。
一方のキャリア２２Ｒは、一方のモニタ１２Ｒとカムギヤ２１との間に挟んで配置されており、カムギヤ２１の一方の突部４６Ｒが一方のカム溝５５に嵌合することでカムギヤ２１に連結される。すなわち、一方のモニタ１２Ｒは、一方のキャリア２２Ｒを介してカムギヤ２１に連結されている。
【００３９】
他方のキャリア２２Ｌは、ギヤ裏面２１ｆに沿って上下に延びる板部６０と、板部６０の下縁からカムギヤ２１の下方を回り込んで前方に延出される延出部６１とを備える。他方のキャリア２２Ｌの左右方向の幅は、カムギヤ２１の半径よりも小さい。板部６０は、カムギヤ２１の下部から他方のモニタ１２Ｌの上部まで延びる。
【００４０】
他方のキャリア２２Ｌの板部６０には、カムギヤ２１の他方の突部４６Ｌが嵌まる他方のカム溝６２が上下に延びて形成されている。他方のカム溝６２は、円弧状に形成された円弧状逃げ溝部６２ａと、円弧状に形成された円弧状カム溝部６２ｂと、鉛直方向に直線状に延びる直線状カム溝部６２ｃとを有する。
円弧状逃げ溝部６２ａは、板部６０の上端部から上下の中間部まで延び、円弧状カム溝部６２ｂは、円弧状逃げ溝部６２ａの下端に連続して板部６０の下部まで延び、直線状カム溝部６２ｃは、円弧状カム溝部６２ｂの下端に連続して板部６０の下端部まで延びている。
【００４１】
一方のモニタ１２Ｒ及び他方のモニタ１２Ｌを左右に開いた状態から閉じた状態に変更する場合、カムギヤ２１は、図８に示すように、閉方向ＣＬに回転する。円弧状カム溝部６２ｂは、閉方向ＣＬにカムギヤ２１が回転する際の他方の突部４６Ｌの回動の軌跡に沿った円弧形状に形成されている。
一方のモニタ１２Ｒ及び他方のモニタ１２Ｌを、互いに重なって閉じた状態から開いた状態に変更する場合、カムギヤ２１は、図１３に示すように、閉方向ＣＬとは反対の開方向ＯＰに回転する。円弧状逃げ溝部６２ａは、開方向ＯＰにカムギヤ２１が回転する際の他方の突部４６Ｌの回動の軌跡に沿った円弧形状に形成されている。
【００４２】
他方のキャリア２２Ｌは、延出部６１（図１３）の先端にガイド部４５の下方延出部４５ａが係合することで、他方のモニタ１２Ｌに連結されている。また、他方のキャリア２２Ｌは、カムギヤ２１の他方の突部４６Ｌが他方のカム溝６２に嵌合することでカムギヤ２１に連結される。すなわち、他方のモニタ１２Ｌは、他方のキャリア２２Ｌを介してカムギヤ２１に連結されている。
【００４３】
図９は、一方のモニタ１２Ｒ及び他方のモニタ１２Ｌの配線の配置を示す斜視図である。図９では、空間Ｓが見えるように、車載用オーディオビジュアル装置１０の一部が切り欠かれている。
一方のモニタ１２Ｒ及び他方のモニタ１２Ｌは、帯状のＦＰＣ（フレキシブルプリント基板）６５，６６によって、筐体１１内の制御部等に接続されており、ＦＰＣ６５，６６を介して、映像信号及び電源等が一方のモニタ１２Ｒ及び他方のモニタ１２Ｌに供給される。
【００４４】
一方のモニタ１２Ｒに接続されるＦＰＣ６５は、一方のモニタ１２Ｒ及び他方のモニタ１２Ｌの背面側で下壁部２６に沿って配索されている。ＦＰＣ６５は、一方のモニタ１２Ｒ及び他方のモニタ１２Ｌが開いた状態における他方のモニタ１２Ｌ側から一方のモニタ１２Ｒ側に引き回され、内縁４０ａ近傍で折り返されて一方のモニタ１２Ｒの背面の下部に接続される。
【００４５】
他方のモニタ１２Ｌに接続されるＦＰＣ６６は、空間Ｓ内に配索されている。ＦＰＣ６５は、一方のモニタ１２Ｒ及び他方のモニタ１２Ｌが開いた状態における一方のモニタ１２Ｒ側から他方のモニタ１２Ｌ側に引き回され、内縁４１ａ近傍の他方のモニタ１２Ｌの下部に接続される。詳細には、ＦＰＣ６６は、ガイド溝２８を通って下方から他方のモニタ１２Ｌに接続される。
このように、ＦＰＣ６５を下壁部２６の上面に沿わせて設け、ＦＰＣ６６を空間Ｓに設けたため、ＦＰＣ６５，６６同士が干渉せず、一方のモニタ１２Ｒ及び他方のモニタ１２Ｌがスライドする構成であっても、モニタ用の配線を設けることができる。
【００４６】
次に、一方のモニタ１２Ｒ及び他方のモニタ１２Ｌの開閉動作を説明する。まず、一方のモニタ１２Ｒ及び他方のモニタ１２Ｌが開いた状態から閉じた状態になるまでの閉動作を説明する。
図１０は、図８よりも閉じ方向に進んだ状態を示す図であり、（ａ）は斜視図であり、（ｂ）は正面図である。図１１は、図１０よりも閉じ方向に進んだ状態を示す図であり、（ａ）は斜視図であり、（ｂ）は正面図である。図１２は、図１１よりも閉じ方向に進んだ状態を示す図であり、（ａ）は斜視図であり、（ｂ）は正面図である。図１３は、一方のモニタ１２Ｒ及び他方のモニタ１２Ｌが閉じた状態を示す図であり、（ａ）は斜視図であり、（ｂ）は正面図である。
【００４７】
図７及び図８に示すように、一方のモニタ１２Ｒ及び他方のモニタ１２Ｌが完全に左右側方に開いた状態（以下、この状態を開状態と呼ぶ。）では、一方のモニタ１２Ｒ及び他方のモニタ１２Ｌは、左右に横並びに配置されている。開状態では、内縁４０ａと内縁４０ａとは当接するとともに、一方のモニタ１２Ｒ及び他方のモニタ１２Ｌの前後の位置が揃っており、表示面１５Ｒと表示面１５Ｌとは略面一に配置されている。
【００４８】
上記開状態では、カムギヤ２１は、一方の突部４６Ｒが一方のカム溝５５の下部に位置し、他方の突部４６Ｌが他方のカム溝６２の円弧状カム溝部６２ｂの上部に位置するような回動位置にある。このようにカムギヤ２１が回動することで、一方のキャリア２２Ｒは、一方のキャリア２２Ｒの左右のスライド位置の右端（スライド位置の一側の端）に配置され、他方のキャリア２２Ｌは、他方のキャリア２２Ｌの左右のスライド位置の左端（スライド位置の他側の端）に配置される。
【００４９】
開状態では、一方のガイド部４３，４３は、一方のガイド溝２７ａ，２７ｂの右端において前後ガイド溝部３０，３０の前端（図７）に位置するとともに、傾斜溝５３，５４の左右溝部５３ａ，５４ａに位置する。すなわち、開状態では、一方のモニタ１２Ｒは、一方のガイド部４３，４３が左右溝部５３ａ，５４ａの後縁に押されるようにして前後ガイド溝部３０，３０の前端に配置されることで、最も前側且つ右端の位置にスライド移動させられている。また、開状態では、一方のガイド部４３，４３が左右溝部５３ａ，５４ａの後縁によって支持されるため、一方のモニタ１２Ｒを後方に移動させるような外力が作用したとしても、外力を左右溝部５３ａ，５４ａで受けることができ、一方のモニタ１２Ｒが後方へ移動してしまうことを防止できる。
また、開状態では、他方のガイド部４５，４５は、他方のガイド溝２８，３８の左端側に位置し、これにより、他方のモニタ１２Ｌは、スライド位置における左端に位置する。
【００５０】
ユーザー等により、一方のモニタ１２Ｒ及び他方のモニタ１２Ｌを閉じる指示が出されると、上記制御部は、モーター２０を駆動し、カムギヤ２１を閉方向ＣＬに回動させる。
開状態からカムギヤ２１が閉方向ＣＬに回動し始めると、図１０に示すように、一方の突部４６Ｒは、左上方に円弧状の軌跡で移動し、一方のカム溝５５に対しては、カム溝５５内で上方に移動する。これにより、一方のキャリア２２Ｒは左端側へスライド移動され、一方のモニタ１２Ｒは後方へのスライド移動を開始する。このように、一方のモニタ１２Ｒが前後にスライド移動する工程を、以下では、前後スライド工程と呼ぶ。
【００５１】
図１４は、前後スライド工程における、前後ガイド溝部３０，３０、一方のガイド部４３，４３及び傾斜溝５３，５４の位置関係を示す図である。
前後スライド工程では、一方のガイド部４３，４３は、図８に示す傾斜溝５３，５４の前端の左右溝部５３ａ，５４ａから、図１４に示す途中位置を経て、図１０に示す傾斜溝５３，５４の後端まで移動する。
【００５２】
詳細には、図１４に示すように、前後スライド工程では、一方のキャリア２２Ｒのスライドに伴う傾斜溝５３，５４の左側へのスライドに伴って、一方のガイド部４３，４３は、傾斜溝５３，５４の前縁によって後方へ押され、前後ガイド溝部３０，３０内を後方へスライドする。これにより、一方のモニタ１２Ｒは、前後ガイド溝部３０，３０の長さの分だけ後方にスライド移動する。ここで、一方のモニタ１２Ｒの前後のスライド量は、一方のモニタ１２Ｒが他方のモニタ１２Ｌの後方で左右にスライド移動できるように、他方のモニタ１２Ｌの厚さよりも大きく設定される。
【００５３】
また、前後スライド工程では、図１０に示すように、他方の突部４６Ｌは、一方のカム溝５５内で右下方に円弧状の軌跡で移動する。詳細には、前後スライド工程では、他方の突部４６Ｌは、他方の突部４６Ｌの回動の軌跡と同一形状に形成された円弧状カム溝部６２ｂ内を上端から下端まで移動するだけである。従って、前後スライド工程では、他方のキャリア２２Ｌは移動せず、他方のモニタ１２Ｌも移動しない。
すなわち、前後スライド工程は、他方のモニタ１２Ｌの移動を停止した状態で、一方のモニタ１２Ｒのみを前後にスライドさせる工程である。本実施の形態では、円弧状カム溝部６２ｂを設けることで他方のモニタ１２Ｌの移動を停止でき、簡単な構成で前後スライド工程を実現できる。
【００５４】
前後スライド工程が終わってカムギヤ２１が閉方向ＣＬにさらに回動されると、一方のモニタ１２Ｒ及び他方のモニタ１２Ｌは、左右ガイド溝部２９，２９及び他方のガイド溝２８に沿って左右方向にスライド移動する。
図１１は、カムギヤ２１が図１０よりも閉方向ＣＬに回動した状態であり、一方のキャリア２２Ｒ及び他方のキャリア２２Ｌは、一方の突部４６Ｒ及び他方の突部４６Ｌの移動に伴って、閉じ方向にスライド移動する。一方のガイド部４３，４３は、一方のキャリア２２Ｒの傾斜溝５３，５４に押されるようにして、左右ガイド溝部２９，２９に沿ってスライド移動する。
図１１の状態では、一方の突部４６Ｒは一方のカム溝５５の上端部に位置し、他方の突部４６Ｌは直線状カム溝部６２ｃの下端部に位置している。他方の突部４６Ｌが直線状カム溝部６２ｃ内を移動する区間では、他方の突部４６Ｌ及び一方の突部４６Ｒは共に鉛直な溝内を移動するため、一方のモニタ１２Ｒ及び他方のモニタ１２Ｌのスライドの速さは略同一である。
【００５５】
図１２は、カムギヤ２１が図１１よりも閉方向ＣＬに回動した状態であり、一方のキャリア２２Ｒ及び他方のキャリア２２Ｌは、一方の突部４６Ｒ及び他方の突部４６Ｌの移動に伴って、閉じ方向にスライド移動する。図１２の状態では、他方の突部４６Ｌは円弧状カム溝部６２ｂ内を上方に移動し、一方の突部４６Ｒは一方のカム溝５５内を下方へ移動する。他方の突部４６Ｌが円弧状カム溝部６２ｂ内を上方に移動する区間では、他方のモニタ１２Ｌは、直線状カム溝部６２ｃの区間よりも速く閉じ方向にスライドする。
【００５６】
図１３に示すように、一方のモニタ１２Ｒ及び他方のモニタ１２Ｌが互いに重なって完全に閉じた状態（以下、この状態を閉状態と呼ぶ。）では、他方の突部４６Ｌは、円弧状逃げ溝部６２ａの上下の中間部に位置し、一方の突部４６Ｒは、一方のカム溝５５の下端部に位置する。
円弧状逃げ溝部６２ａは、他方の突部４６Ｌの回動の軌跡と同一形状に形成されているため、他方の突部４６Ｌが円弧状逃げ溝部６２ａ内に位置する状態では、他方のモニタ１２Ｌのスライド移動は停止される。すなわち、他方のモニタ１２Ｌは、図１２の状態から他方の突部４６Ｌが上方に移動して円弧状逃げ溝部６２ａの下端に入った段階で、スライド位置の左端に到達し、スライド移動が停止される。また、他方の突部４６Ｌは、他方のモニタ１２Ｌのスライド移動が停止した後も上方に移動し、最終的には、円弧状逃げ溝部６２ａの上下の中間部まで移動する。
【００５７】
これに対し、一方の突部４６Ｒは、他方のモニタ１２Ｌのスライド移動の停止後も一方のカム溝５５内を下方に移動し、一方のモニタ１２Ｒをスライド移動させる。最終的には、一方の突部４６Ｒは、一方のカム溝５５の下端部まで移動し、これに対応して、一方のモニタ１２Ｒのスライド移動も停止される。
図８及び図１３に示すように、開状態から閉状態までのカムギヤ２１の回転量は、略半回転であり、詳細には、１８０°よりもわずかに小さい回転角度である。
車載用オーディオビジュアル装置１０は、開状態及び閉状態の両方の状態において、表示面に情報を表示可能である。詳細には、制御部は、開状態では表示面１５Ｒ，１５Ｌの両方に情報を表示させるが、閉状態では、一方のモニタ１２Ｒを停止し、他方のモニタ１２Ｌのみに情報を表示させる。
【００５８】
次に、閉状態から開状態への開動作を説明する。
ユーザー等により、車載用オーディオビジュアル装置１０の使用の指示が出されると、制御部は、上記スライド機構部を駆動して、ベース部材１３とともに一方のモニタ１２Ｒ及び他方のモニタ１２Ｌを前方にせり出させる。次いで、制御部は、チルト機構部１６を駆動してベース部材１３を起立させる。これにより、他方のモニタ１２Ｌは、ユーザーに略正対する視認位置となる。チルト機構部１６によってベース部材１３が起立された状態では、一方のモニタ１２Ｒ及び他方のモニタ１２Ｌは閉状態にあり、他方のモニタ１２Ｌのみがユーザーから視認される。車載用オーディオビジュアル装置１０では、上述のように閉状態で情報を表示することも可能である。
【００５９】
起立が完了すると、制御部は、モーター２０を駆動し、カムギヤ２１を開方向ＯＰに回動させ、閉状態から開状態への開動作を開始する。開動作は、上述の閉動作の逆の動作である。
図１３に示す閉状態からカムギヤ２１が開方向ＯＰに回動し始めると、一方の突部４６Ｒは、右上方に円弧状の軌跡で移動し、一方のカム溝５５に対しては、カム溝５５内で上方に移動する。これにより、一方のキャリア２２Ｒは右端側へスライド移動され、一方のモニタ１２Ｒは右端側へ開方向にスライド移動を開始する。
これに対し、他方の突部４６Ｌは、カムギヤ２１が開方向ＯＰに回動し始めると、左下方に円弧状の軌跡で移動し、円弧状逃げ溝部６２ａ内を移動する。他方の突部４６Ｌが円弧状逃げ溝部６２ａ内を移動する区間では、他方のモニタ１２Ｌはまだスライド移動を開始しない。
【００６０】
図１３から図１２の状態に開方向に進み、他方の突部４６Ｌが円弧状カム溝部６２ｂを通ると、他方のモニタ１２Ｌは、左端側へ開方向にスライド移動する。また、図１２の状態では、一方のモニタ１２Ｒは、右端側へのスライド移動を継続する。
図１２からさらに開方向に進んだ図１１の状態では、一方のモニタ１２Ｒ及び他方のモニタ１２Ｌは、略同一の速さで開方向にスライド移動する。
【００６１】
図１１の状態からさらに開方向に進むと、前後スライド工程が開始され、一方のモニタ１２Ｒ及び他方のモニタ１２Ｌは、図１０の状態から図１４の状態を経て、図８の開状態となる。詳細には、前後スライド工程では、図１４に示すように、一方のキャリア２２Ｒのスライドに伴う傾斜溝５３，５４の右側へのスライドに伴って、一方のガイド部４３，４３は、傾斜溝５３，５４の後縁によって前方へ押され、前後ガイド溝部３０，３０内を前方へスライドする。これにより、一方のモニタ１２Ｒは、前後ガイド溝部３０，３０の長さの分だけ前方にスライド移動し、一方のモニタ１２Ｒ及び他方のモニタ１２Ｌは左右に横並びに配列されるとともに、表示面１５Ｒ，１５Ｌが互いに同一面内に位置するようになる。
【００６２】
また、図１０に示すように、他方の突部４６Ｌが直線状カム溝部６２ｃの上端に達すると、他方のモニタ１２Ｌの開方向へのスライド移動は完了する。その後の前後スライド工程では、一方の突部４６Ｒは一方のキャリア２２Ｒをスライド移動させるが、他方の突部４６Ｌは、円弧状カム溝部６２ｂを上方に移動し、円弧状カム溝部６２ｂの上端まで移動するだけである。このように、他方のモニタ１２Ｌの開方向へのスライド移動が、前後スライド工程の前に完了しているため、他方のモニタ１２Ｌが一方のモニタ１２Ｒの前後のスライドの邪魔にならない。
また、一方のキャリア２２Ｒの下板部５２の板厚に対応して下壁段部３４（図６）を設け、下壁段部３４に下板部５２を配置したため、一方のキャリア２２Ｒで一方のモニタ１２Ｒの下面を支持する構成であっても、一方のモニタ１２Ｒ及び他方のモニタ１２Ｌの上下の位置は揃っている。
【００６３】
以上説明したように、本発明を適用した実施の形態によれば、車載用オーディオビジュアル装置１０は、一方のモニタ１２Ｒ及び他方のモニタ１２Ｌと、一方のモニタ１２Ｒ及び他方のモニタ１２Ｌを支持するベース部材１３と、一方のモニタ１２Ｒ及び他方のモニタ１２Ｌを移動させるモーター２０と、モーター２０の駆動力を、一方のモニタ１２Ｒ及び他方のモニタ１２Ｌをベース部材１３上でスライド移動させる力に変換してスライド移動させる変換機構３５とを備え、一方のモニタ１２Ｒ及び他方のモニタ１２Ｌは、互いに重なって閉じた状態から変換機構３５を介してスライド移動して側方に開かれ、配列される。これにより、互いに重なって閉じた状態の一方のモニタ１２Ｒ及び他方のモニタ１２Ｌを、変換機構３５を介したモーター２０の駆動力によってスライド移動させて左右の側方に開くことができ、必要な際に一方のモニタ１２Ｒ及び他方のモニタ１２Ｌを配列させることができるため、一方のモニタ１２Ｒ及び他方のモニタ１２Ｌを備えた車載用オーディオビジュアル装置１０をコンパクトに設けることができる。
【００６４】
また、重なって閉じた状態の一方のモニタ１２Ｒ及び他方のモニタ１２Ｌをベース部材１３とともに収容する箱状の筐体１１を備え、一方のモニタ１２Ｒ及び他方のモニタ１２Ｌは、情報を表示する際には、筐体１１からベース部材１３と一体に引き出されるとともに起立される。このため、重なって閉じた状態の一方のモニタ１２Ｒ及び他方のモニタ１２Ｌをコンパクトに筐体１１に収容しておくことができ、必要な際には、一方のモニタ１２Ｒ及び他方のモニタ１２Ｌを起立させるとともに側方に開いて配列させることができる。
また、一方のモニタ１２Ｒ及び他方のモニタ１２Ｌは、変換機構３５の左右のスライド位置の終端に位置して開かれた状態では、互いの表示面１５Ｒ，１５Ｌが略面一になるため、表示面１５Ｒ，１５Ｌを見易くできる。
【００６５】
また、一方のモニタ１２Ｒ及び他方のモニタ１２Ｌは一対で設けられ、変換機構３５は、一方のモニタ１２Ｒに連結される一方のキャリア２２Ｒと、他方のモニタ１２Ｌに連結される他方のキャリア２２Ｌと、一方のモニタ１２Ｒ及び他方のモニタ１２Ｌの裏面側に配置され、一方のキャリア２２Ｒ及び他方のキャリア２２Ｌに連結されるカムギヤ２１とを備え、カムギヤ２１はモーター２０に駆動されて回転され、カムギヤ２１は、円板状に形成されるとともに、板面上に一対の一方の突部４６Ｒ及び他方の突部４６Ｌを備え、一方のキャリア２２Ｒは、一方の突部４６Ｒが嵌まる一方のカム溝５５を備え、他方のキャリア２２Ｌは、他方の突部４６Ｌが嵌まる他方のカム溝６２を備え、一方のモニタ１２Ｒ及び他方のモニタ１２Ｌは、カムギヤ２１の回転によって周方向に移動する一方の突部４６Ｒ及び他方の突部４６Ｌによって、一方のカム溝５５及び他方のカム溝６２を介してスライド移動させられる。これにより、モーター２０に駆動されるカムギヤ２１の回転を、側方にスライドさせる力に変換し、一方のキャリア２２Ｒ及び他方のキャリア２２Ｌを介して、一方のモニタ１２Ｒ及び他方のモニタ１２Ｌを側方に開くことができ、簡単な構成で一方のモニタ１２Ｒ及び他方のモニタ１２Ｌを配列できる。
【００６６】
さらに、ベース部材１３は、一方のモニタ１２Ｒのスライド方向に延びる一方のガイド溝２７ａ，２７ｂ，３７ａ，３７ｂを備え、一方のガイド溝２７ａ，２７ｂ，３７ａ，３７ｂは、スライド方向と略直交する前後ガイド溝部３０を終端にそれぞれ備え、一方のモニタ１２Ｒは、上下方向に突出して一方のガイド溝２７ａ，２７ｂ，３７ａ，３７ｂに嵌まる一方のガイド部４３，４３を備え、一方のキャリア２２Ｒは、一方のガイド部４３，４３が嵌まる傾斜溝５３，５４を備え、傾斜溝５３，５４は、一方のモニタ１２Ｒのスライド方向に交差する方向に斜めに延びており、一方のモニタ１２Ｒは、傾斜溝５３，５４を介して一方のガイド部４３，４３が一方のキャリア２２Ｒに押されるようにして一方のガイド溝２７ａ，２７ｂ，３７ａ，３７ｂに沿ってスライド移動させられ、一方のモニタ１２Ｒは、一方のガイド部４３，４３が、傾斜溝５３，５４に押されて前後ガイド溝部３０，３０に沿って動くことで前後にスライドする。このため、一方のモニタ１２Ｒのスライド方向の終端で、一方のキャリア２２Ｒのスライド方向に移動する力を、傾斜溝５３，５４によって、一方のモニタ１２Ｒを前後にスライドさせる力に変換でき、簡単な構成で一方のモニタ１２Ｒを前後にスライドさせて、表示面１５Ｒ，１５Ｌを略面一にできる。
【００６７】
また、他方のキャリア２２Ｌの他方のカム溝６２は、他方の突部４６Ｌの回動の軌跡に沿った円弧状カム溝部６２ｂを備え、一方のモニタ１２Ｒが前後にスライドする際は、他方の突部４６Ｌは、円弧状カム溝部６２ｂ内を移動する。これにより、一方のモニタ１２Ｒが前後にスライドする際は、他方のモニタ１２Ｌのスライドを止めておくことができ、他方のモニタ１２Ｌが邪魔になることを防止できるため、表示面１５Ｒ，１５Ｌを略面一にすることが可能な構造を簡単な構造で実現できる。
また、一方のモニタ１２Ｒはカムギヤ２１の前面側に一方のキャリア２２Ｒを介して支持され、他方のキャリア２２Ｌは、カムギヤ２１の後面側に配置され、他方のモニタ１２Ｌは、一方のモニタ１２Ｒの前面側に配置され、他方のキャリア２２Ｌからカムギヤ２１及び一方のモニタ１２Ｒの下方を回りこんで延出された延出部６１に連結されている。このため、一方のモニタ１２Ｒ及び他方のモニタ１２Ｌを前後に重ねてコンパクトに配置する構成であっても、一方のキャリア２２Ｒ及び他方のキャリア２２Ｌを一方のモニタ１２Ｒ及び他方のモニタ１２Ｌに連結でき、簡単な構成で、一方のモニタ１２Ｒ及び他方のモニタ１２Ｌを側方に開くことができる。
【００６８】
さらに、ベース部材１３は、一方のモニタ１２Ｒ及び他方のモニタ１２Ｌを下方から支持する下面支持部２３を備え、他方のモニタ１２Ｌは、下面支持部２３に当接して下方から支持され、一方のキャリア２２Ｒは、一方のモニタ１２Ｒの下面を支持する下板部５２を備え、下面支持部２３は、少なくとも下板部５２の板厚分だけ窪む下壁段部３４を備える。これにより、下板部５２を下壁段部３４に配置して一方のキャリア２２Ｒの位置を下方に下げることができるため、一方のモニタ１２Ｒを一方のキャリア２２Ｒで支持する構成としながら、一方のモニタ１２Ｒ及び他方のモニタ１２Ｌの高さ位置を合わせることができる。
【００６９】
また、車載用オーディオビジュアル装置１０は、筐体１１内にスライドにより収納されると共に、筐体１１外の視認位置では起立されるベース部材１３を備え、ベース部材１３に一方のモニタ１２Ｒ及び他方のモニタ１２Ｌを備え、少なくとも視認位置では一方のモニタ１２Ｒ及び他方のモニタ１２Ｌが側方に展開する。これにより、一方のモニタ１２Ｒ及び他方のモニタ１２Ｌをベース部材１３とともに筐体１１にコンパクトに収納しておくことができるとともに、筐体１１外の視認位置でベース部材１３を起立させて一方のモニタ１２Ｒ及び他方のモニタ１２Ｌを側方に展開できる。このため、一方のモニタ１２Ｒ及び他方のモニタ１２Ｌを供えた車載用オーディオビジュアル装置１０をコンパクトに設けることができる。
また、一方のモニタ１２Ｒ及び他方のモニタ１２Ｌが側方に展開し、かつ、同一面内に配列されるため、一方のモニタ１２Ｒ及び他方のモニタ１２Ｌを見易くできる。
【００７０】
なお、上記実施の形態は本発明を適用した一態様を示すものであって、本発明は上記実施の形態に限定されるものではない。
上記実施の形態では、車載用オーディオビジュアル装置１０において電気的に情報を表示する一方のモニタ１２Ｒ及び他方のモニタ１２Ｌを開閉する構成を例に挙げて説明したが、本発明はこれに限定されるものではない。例えば、講義等の際に用いられるホワイトボードに本発明を適用しても良い。この場合、ユーザーがペン等で情報を書き記す一対のホワイトボードの背面側に変換機構３５を設けることで、一対のホワイトボードを簡単な構成で左右の側方に開閉できる。また、車載用オーディオビジュアル装置１０において、一方のモニタ１２Ｒ及び他方のモニタ１２Ｌの片方または両方を、ホワイトボード等にしても良い。
また、上記実施の形態では、複数の表示板として、一対の一方のモニタ１２Ｒ及び他方のモニタ１２Ｌを例に挙げて説明したが、本発明はこれに限定されるものではなく、３枚以上の表示板を筐体１１に収容し、モーターを用いたスライド式の開閉機構によって、起立状態で側方に開いて複数の表示板を横並びに配置する構成としても良い。
【符号の説明】
【００７１】
１０  車載用オーディオビジュアル装置（表示装置）
１１  筐体
１２Ｌ  他方のモニタ（他方の表示板、表示部）
１２Ｒ  一方のモニタ（一方の表示板、表示部）
１３  ベース部材
１５Ｌ，１５Ｒ  表示面
２０  モーター
２１  カムギヤ
２２Ｌ  他方のキャリア（他方の搬送部材）
２２Ｒ  一方のキャリア（一方の搬送部材）
２３  下面支持部
２７ａ，２７ｂ，３７ａ，３７ｂ  一方のガイド溝（スライド方向に延びるガイド溝）
３０  前後ガイド溝部
３４  下壁段部（段部）
３５  変換機構
２８，３８  他方のガイド溝
４３，４３  一方のガイド部
４５，４５  他方のガイド部
４５ａ  下方延出部
４６Ｌ  他方の突部（突部の他方）
４６Ｒ  一方の突部（突部の一方）
５２  下板部（下面支持板部）
５３，５４  傾斜溝
５５  一方のカム溝
６１  延出部
６２  他方のカム溝
６２ｂ  円弧状カム溝部
【図１】
2015093570.tif 000003
【図２】
2015093570.tif 000004
【図３】
2015093570.tif 000005
【図４】
2015093570.tif 000006
【図５】
2015093570.tif 000007
【図６】
2015093570.tif 000008
【図７】
2015093570.tif 000009
【図８】
2015093570.tif 000010
【図９】
2015093570.tif 000011
【図１０】
2015093570.tif 000012
【図１１】
2015093570.tif 000013
【図１２】
2015093570.tif 000014
【図１３】
2015093570.tif 000015
【図１４】
2015093570.tif 000016